(57)【要約】【課題】  自然石保持体に対して多数個の自然石を簡易な方法で強固に取り付ける。【解決手段】  自然石５に打ち込ンだアンカ部材１２により固定された取付ブラケット部材１３と、一端側に自然石保持体６の鉄筋７ａに掛け合わすフック部１４ａを形成し他端側を取付ブラケット部材１３の嵌挿孔１３ｄに嵌挿される嵌挿部１４ｂとした取付金具１４を備える。フック部１４ａを第１鉄筋７ａに掛け合わせ、嵌挿部１４ｂを第２鉄筋７ｂの外周部で折り曲げることにより、取付金具１４を介して自然石保持体６に対して自然石５を強固に取り付ける。【選択図】  図３
2006029025.tif 000002
【特許請求の範囲】
【請求項１】
鉄筋を枠組みした自然石保持体の主面に多数個の自然石をそれぞれ取付手段を介して並べた状態で取り付けてなり、擁壁面に沿って段積みして設置される自然石擁壁ブロック体において、
上記各取付手段が、上記自然石に打ち込んだアンカによって固定される取付ブラケット部材と、一端側を略Ｕ字状に折曲して上記自然石保持体の鉄筋に掛け合わすフック部とするとともに他端側を上記取付ブラケット部材に形成した取付金具嵌挿孔に嵌挿する嵌挿部としてなる取付金具とから構成され、
上記各自然石が上記自然石保持体に対して、上記フック部を第１の鉄筋に掛け合わせた状態で上記取付ブラケット部材の取付金具嵌挿孔に嵌挿した上記嵌挿部を上記第１の鉄筋と相対する第２の鉄筋を支点として折り曲げられる上記取付金具によってそれぞれ取り付けられることを特徴とする自然石擁壁ブロック体。
【請求項２】
鉄筋を枠組みした自然石保持体の主面に自然石をそれぞれ取付手段を介して並べた状態で取り付けてなり擁壁面に沿って段積みして設置する自然石擁壁ブロック体における、上記各自然石を上記自然石保持体に取り付ける自然石擁壁ブロックにおける自然石の取付方法において、
アンカ嵌挿孔が形成された取付部と取付金具嵌挿孔が形成された保持部とを略直交して一体に形成した取付ブラケット部材と、一端側が略Ｕ字状に折曲されて上記自然石保持体の鉄筋に掛け合わすフック部とされるとともに他端側が上記取付ブラケット部材の上記取付金具嵌挿孔に嵌挿する嵌挿部としてなる取付金具と、上記取付金具の上記嵌挿部が嵌合される先端部近傍の側面に開口する第１嵌合部と先端部に開口する第２嵌合部とが設けられ上記自然石保持体の前方側又は背面側から差し込まれて上記嵌挿部を折り曲げる折曲用治具とが用いられ、
上記各自然石に対して、それぞれアンカ孔を穿孔する工程と、
上記アンカ嵌挿孔を介して相対する上記アンカ孔内にアンカを打ち込むことにより、上記各自然石に対して上記取付ブラケット部材をそれぞれ固定する工程と、
上記取付ブラケット部材を固定した面を取付面として上記各自然石を上記自然石保持体に組み合わせる工程と、
上記フック部を上記自然石保持体の第１の鉄筋に掛け合わせるとともに上記嵌挿部を上記自然石に固定された上記取付ブラケット部材の上記取付金具嵌挿孔に嵌挿することにより、上記取付金具を上記自然石保持体と上記取付ブラケット部材を介して上記自然石との間に組み付ける工程と、
上記折曲用治具を上記自然石保持体の前方側又は背面側から差し込んで上記第１嵌合部に上記取付金具の上記嵌挿部を嵌合させる工程と、
上記折曲用治具のてこ動作により、上記嵌挿部を上記自然石保持体の第１の鉄筋と相対する第２の鉄筋を支点として上記自然石側に折り曲げる第１折曲げ工程と、
上記嵌挿部を上記第２嵌合部に差し換えて、上記嵌挿部が上記第２の鉄筋に掛け合わすように上記折曲用治具により上記取付金具を大きく折り曲げる第２折曲げ工程とを有し、
両端を上記第１の鉄筋と第２の鉄筋とに掛け合わされるとともにその間において上記各自然石に固定された上記取付ブラケット部材に組み付けられる上記取付金具を介して、上記各自然石を上記自然石保持体に取り付けることを特徴とする自然石擁壁ブロック体における自然石の取付方法。
【発明の詳細な説明】
【技術分野】
【０００１】
本発明は、河川の護岸工事や道路或いは造成地等の擁壁工事（本明細書においては擁壁工事と総称する。）において、多数個の自然石を保持金網によって石組みした状態で保持する自然石空張り工法や自然石マット等に用いられ、特に急峻な傾斜角度の擁壁工事等に好適に採用される自然石擁壁ブロック体及びこの自然石擁壁ブロック体における自然石の取付方法に関する。
【背景技術】
【０００２】
擁壁工事には、擁壁面に沿って多数個の自然石やコンクリートブロック、人工石或いは支持柱等（本明細書においては自然石と総称する。）を所定の状態に石組みして積み上げる自然石積上げ擁壁の工事も行われる。例えば特許文献１や特許文献２には、擁壁面に沿って設置した保持金網に対して自然石を固定して石組みする工法が開示されている。例えば特許文献３には、擁壁面に沿って積み上げ設置した金網籠に自然石を固定して石組みする工法が開示されている。自然石積上げ擁壁の工事においては、擁壁の傾斜角度が急峻である場合に、自然石を積上げた状態で強固に保持しなければならない。例えば特許文献４には、アンカ作用を奏する棒状部材を取り付けた自然石を積み上げて石組みした工法が開示されている。
【０００３】
【特許文献１】登録実用新案第３０２５４５１号公報
【特許文献２】登録実用新案第３０３９２１６号公報
【特許文献３】特開平１１−１３０７５号公報
【特許文献４】特開平１１−３１０９１３号公報
【発明の開示】
【発明が解決しようとする課題】
【０００４】
上述した特許文献１に開示された従来の自然石積上げ擁壁工法においては、擁壁面に沿って設置した金網等に自然石を接着剤によって固定することから、接着剤が環境汚染の原因となるとともに接着剤の接着強度では急峻な傾斜角度の擁壁等に巨大な自然石を積み上げて強固に固定することが困難であるといった問題がある。また、この従来の自然石積上げ擁壁工法においては、擁壁等に設置した鋼製アングルや枠体に金網を張設した後に自然石を接着剤によって取り付けることから、いわゆる現場対応での工事により急峻な斜面で作業者が自然石を積み上げることで効率も悪くまた熟練作業者が必要であるといった問題があった。さらに、従来の自然石積上げ擁壁工法においては、重量が大きな鋼製アングルや枠体を擁壁面に設置するために大型クレーン等が必要となって作業効率も悪くなり、またこれら部材を擁壁に対して大きな強度のアンカ体により固定しなければならないといった問題があった。
【０００５】
特許文献２に開示された従来の自然石積上げ擁壁工法においても、擁壁に設置した格子状のコンクリートブロックに自然石を接着剤によって固定することから、接着剤が環境汚染の原因となるといった問題があった。また、従来の自然石積上げ擁壁工法においては、擁壁に金網を設置するとともにこの金網上に栗石を介してコンクリートブロックをアンカ鉄筋で固定することから、工程数が多くなりまた金網の強度によっては強固な自然石積上げ擁壁を構築し得ないといった問題があった。さらに、自然石積上げ擁壁工法においても、コンクリートブロックを設置するために大型クレーン等を必要とする。
【０００６】
特許文献３に開示された従来の自然石積上げ擁壁工法においては、鉄線等で編んだ籠内に栗石や玉石を詰めた単位構造体を上段と下段とで互いにずらした状態で順次積み上げるとともに各単位構造体の前面に自然石を結合材を介して取り付けることにより自然石が前面の段差を隠すようにして積み上げられる。かかる従来の自然石積上げ擁壁工法も、各単位構造体に対する自然石の取付作業が現場対応で熟練作業者によって行われ、また金網籠の強度或いは耐久性から急峻な傾斜角度の擁壁等には採用されていない。従来の自然石積上げ擁壁工法は、現場対応での施工により、例えば前工程でコンクリート打設が行われた場合に養生、硬化の期間が必要となり工程管理が難しくなるといった問題があった。
【０００７】
特許文献４に開示された従来の自然石積上げ擁壁工法においては、環境汚染の影響を最小限として自然石を安定した状態で積み上げらることが可能であるが、棒状部材が突き出た自然石を運搬したり設置したりする際の取り扱いが極めて面倒であるといった問題があった。また、従来の自然石積上げ擁壁工法においては、自然石を現場対応によって１個ずつ積み上げなければならず、熟練作業者が必要であるとともに効率も悪いといった問題があった。
【０００８】
したがって、本発明は、工場或いは現場であっも鉄筋を枠組みした自然石保持体に対して多数個の自然石が簡易な方法により強固に取り付けられることで工程の効率化とコスト低減とが図られるとともに、急峻な擁壁面にも安全にかつ強固に段積みして設置することを可能とする自然石擁壁ブロック体及び自然石擁壁ブロック体における自然石の取付方法を提供することを目的に提案されたものである。
【課題を解決するための手段】
【０００９】
上述した目的を達成する本発明にかかる自然石擁壁ブロック体は、鉄筋を枠組みした自然石保持体と、この自然石保持体の主面にそれぞれ取付手段を介して並べた状態で取り付けられる多数個の自然石とから構成され、擁壁面に沿って段積みして設置される。自然石擁壁ブロック体は、各取付手段が、自然石に打ち込んだアンカによって固定される取付ブラケット部材と、一端側を略Ｕ字状に折曲して自然石保持体の鉄筋に掛け合わすフック部とするとともに他端側を取付ブラケット部材に形成した取付金具嵌挿孔に嵌挿する嵌挿部としてなる取付金具とから構成する。
【００１０】
自然石擁壁ブロック体においては、自然石保持体に対して各自然石を取付ブラケット部材を固定した面を取付面として組み合わせた状態で、フック部を自然石保持体の第１の鉄筋に掛け合わせるとともに嵌挿部を取付ブラケット部材の取付金具嵌合孔に嵌挿して取付金具が組み付けられる。自然石擁壁ブロック体においては、各取付金具が、嵌挿部を第１の鉄筋と相対する第２の鉄筋を支点として折り曲げられる。自然石擁壁ブロック体においては、両端を第１の鉄筋と第２の鉄筋とに掛け合わされるとともにその間において各自然石に固定された取付ブラケット部材に組み付けられた取付金具を介して、各自然石が自然石保持体に取り付けられる。
【００１１】
また、上述した目的を達成する本発明にかかる自然石擁壁ブロック体における自然石の取付方法は、アンカ嵌挿孔が形成された取付部と取付金具嵌挿孔が形成された保持部とを略直交して一体に形成した取付ブラケット部材と、一端側が略Ｕ字状に折曲されて自然石保持体の鉄筋に掛け合わすフック部とするとともに他端側が取付ブラケット部材の取付金具嵌挿孔に嵌挿される嵌挿部を構成する取付金具と、この取付金具の嵌挿部が嵌合される先端部近傍の側面に開口する第１嵌合部及び先端部に開口する第２嵌合部とが設けられ自然石保持体の前方側又は背面側から差し込まれて嵌挿部を折り曲げる折曲用治具とが用いられる。自然石擁壁ブロック体における自然石の取付方法は、各自然石に対してそれぞれアンカ孔を穿孔する工程と、アンカ嵌挿孔を介して相対するアンカ孔内にアンカを打ち込むことにより各自然石に対して取付ブラケット部材をそれぞれ固定する工程と、取付ブラケット部材を固定した面を取付面として各自然石を自然石保持体に組み合わせる工程と、フック部を自然石保持体の第１の鉄筋に掛け合わせるとともに嵌挿部を自然石に固定された取付ブラケット部材の取付金具嵌挿孔に嵌挿することにより取付金具を自然石保持体と取付ブラケット部材を介して自然石との間に組み付ける工程と、折曲用治具を自然石保持体の前方側又は背面側から差し込んで第１嵌合部に取付金具の嵌挿部を嵌合させる工程と、折曲用治具のてこ動作により嵌挿部を自然石保持体の第１の鉄筋と相対する第２の鉄筋を支点として自然石側に折り曲げる第１折曲げ工程と、嵌挿部を第２嵌合部に差し換えて嵌挿部が第２の鉄筋に掛け合わすように折曲用治具によって取付金具を大きく折り曲げる第２折曲げ工程とを有する。
【００１２】
自然石擁壁ブロック体における自然石の取付方法によれば、一端側のフック部が第１の鉄筋に掛け合わされるとともに大きく折曲された他端側の嵌挿部が第２の鉄筋に掛け合わされる取付金具が、第１の鉄筋と第２の鉄筋との間において各自然石に固定された取付ブラケット部材に組み付けられる。したがって、自然石擁壁ブロック体における自然石の取付方法によれば、各取付金具を介して、各自然石を自然石保持体に取り付ける。
【発明の効果】
【００１３】
本発明によれば、自然石を組み合わせた自然石保持体の前方側或いは背面側のいずれからでも自然石に固定した取付ブラケット部材と組み合わせた取付金具の嵌挿部を第２の鉄筋に対して掛け合わせるように折り曲げる簡易な操作により、この取付金具を介して自然石保持体に対して各自然石を強固に取り付けることが可能となる。本発明によれば、工場ばかりでなく現場においても鉄筋を枠組みした自然石保持体に対して多数個の自然石を取り付けた自然石擁壁ブロックが作業の効率化とコスト低減とを図って製造されるようになり、機械的強度の大きい自然石保持体に対して多数個の自然石が強固に取り付けられることで急峻な擁壁面にも安全にかつ強固に段積みして設置することが可能である。また、本発明によれば、各ブロック毎に硬化期間や養生期間を必要とするコンクリート打設工程が不要となり、工期の大幅な短縮化や工事費の低減が図られるようになる。
【発明を実施するための最良の形態】
【００１４】
以下、本発明の実施の形態について図面を参照して詳細に説明する。自然石擁壁ブロック体１は、図１に示すように急峻な傾斜角度を有する道路の法面や造成地等の擁壁、護岸等（以下、擁壁と総称する。）の建設工事等に用いられる。自然石擁壁ブロック体１は、所定の工程によって基礎２を形成するとともに整形した擁壁面３の表面部に位置してその傾斜角度に合わせて設置されるとともに、裏込め材を充填して裏込め層４を形成する工程や積み上げ工程を施されて多段に積み上げられて複数個１ａ〜１ｎが設置されることにより、多数個の自然石５を石組みして積み上げて自然石積上げ擁壁を構築する。なお、自然石擁壁ブロック体１は、急峻な傾斜角度の擁壁工事ばかりでなく、比較的緩やかな傾斜角度の擁壁工事等にも用いられることは勿論である。
【００１５】
自然石擁壁ブロック体１は、やや太径の鉄筋を矩形に組み合わせた詳細を省略する枠体に対して多数本の鉄筋を横方向（横筋７）と縦方向（縦筋８）とを格子状に組み合わせてなり、一方の主面に後述する構造と工法とによって多数個の自然石５を取り付けてなる自然石保持体６を備える。自然石擁壁ブロック体１は、図１に示すように自然石保持体６の下側枠体に対して同様にして鉄筋を格子状に組み合わせたアンカシート体９が回動自在に組み付けられるとともに、このアンカシート体９と自然石保持体６とを所定の開き角度に保持する複数の筋交い部材１０が組み合わされる。
【００１６】
自然石擁壁ブロック体１は、各筋交い部材１０に例えば所定の長さを有し両端部を略Ｕ字状に湾曲させた鉄筋が用いられる。自然石擁壁ブロック体１は、アンカシート体９に対して擁壁面３の傾斜角度に合わせて開かれた自然石保持体６を各筋交い部材１０によって保持する。自然石擁壁ブロック体１は、傾斜角度が変わる自然石擁壁ブロック１の積み上げ位置や工事位置に設置される際に、筋交い部材１０の固定位置を適宜調整することにより自然石保持体６の開き角度が調整される。
【００１７】
なお、自然石擁壁ブロック体１は、自然石保持体６を基礎２や下層の裏込め層４上に設置した状態でさらに強固に固定するために、複数のアンカ材１１を設けるようにしてもよい。自然石擁壁ブロック体１は、例えば自然石保持体６とアンカシート体９とに同一仕様の鉄筋枠組み体を互換使用することにより、コスト低減が図られる。自然石擁壁ブロック体１は、上述した各部材に対して防錆処理を施して用いるようにしてもよい。
【００１８】
自然石擁壁ブロック体１は、自然石保持体６に対して多数個の自然石５が、図２に示すようにそれぞれアンカ部材１２と取付ブラケット部材１３と取付金具１４とから構成される取付構造とともに、取付金具１４を折り曲げる折曲用治具１５を用いて前面側或いは背面側からも簡易な方法によって強固に取り付けられる。各自然石５には、自然石保持体６に対する取付面にドリル等によって所定の孔径と深さを有するアンカ打込み孔１６（図３参照）が穿孔される。なお、アンカ打込み孔１６は、予め自然石５に穿孔したり、例えば自然石保持体６に自然石５を組み合わせた状態で自然石保持体６側からドリルによって穿孔するようにしてもよい。
【００１９】
アンカ部材１２には、例えばオールアンカと称されるアンカ部材が用いられる。アンカ部材１２は、図３に示すようにアンカ打込み孔１６とほぼ同径とされた鋼鉄製のフランジ付き円筒状スリーブ１７と、このスリーブ１７の内孔にはめ込まれたアンカピン１８とから構成される。アンカ部材１２は、スリーブ１７がその軸長をアンカ打込み孔１６の深さよりもやや短軸とされるとともに先端部から複数のすり割り１７ａが形成されてなる、アンカ部材１２は、スリーブ１７の内孔が先端に向かって次第に小径とされる底付きテーパ孔として形成されるとともにスリーブの外周部に外径がアンカ打込み孔１６の孔径よりも大径のフランジ部１７ｂが一体に形成されている。アンカ部材１２には、スリーブ１７の内孔に軸長がすり割りの長さよりもやや長軸とされたアンカピン１８が頭部をフランジ部１７ｂから突出させて圧入状態で組み付けられている。
【００２０】
アンカ部材１２は、アンカ打込み孔１６内に嵌め込まれた状態でアンカピン１８が頭部をハンマー等で叩かれてスリーブ１７内に打ち込まれることによって、図３に示すようにすり割り１７ａを介してその先端部１７ｃを拡径させてアンカ打込み孔１６内に打ち込まれていく。アンカ部材１２は、先端部１７ｃがアンカ打込み孔１６内において楔作用を奏することで自然石５に強固に固定される。なお、アンカ部材１２は、かかるオールアンカに限定されるものではなく、従来周知の種々のアンカ部材を用いるようにしてもよいことは勿論である。
【００２１】
取付ブラケット部材１３は、例えばめっき等による防錆処理を施した鉄板或いはステンレス板等の防錆特性を有しかつ所定の厚みを有することによって充分な機械的強度を有する金属板によって形成される。取付ブラケット部材１３は、図２及び図３に示すように、アンカ嵌挿孔１３ｂが形成されて自然石５に取り付けられる取付部１３ａと、この取付部１３ａと略直交するとともに取付金具嵌挿孔１３ｄが形成された保持部１３ｃとからなる略Ｌ字状を呈している。取付ブラケット部材１３は、取付部１３ａのアンカ嵌挿孔１３ｂが、上述したアンカ部材１２のスリーブ径よりもやや大径でかつフランジ径よりもやや小径に形成されている。取付ブラケット部材１３は、保持部１３ｃの取付金具嵌挿孔１３ｄが、後述する取付金具１４の外径よりもやや大径に形成されている。
【００２２】
取付ブラケット部材１３は、自然石５に対してアンカ嵌挿孔１３ｂをアンカ打込み孔１６に位置合わせしてあてがわれた状態で、アンカ嵌挿孔１３ｂに嵌挿したアンカ部材１２がアンカ打込み孔１６内に打ち込まれるようにする。取付ブラケット部材１３は、図３に示すように取付部１３ａが自然石５とアンカ部材１２のフランジ部１７ｂとの間で挟み込まれることにより、自然石５に強固に固定される。取付ブラケット部材１３は、自然石５を固定した面を取付面として自然石保持体６に対して組み合わされることにより、図２に示すように保持部１３ｃが隣り合う横筋７ａ、７ｂと縦筋８ａ、８ｂとが囲む所定の格子目６ａを通して背面側へと突出する。
【００２３】
なお、取付ブラケット部材１３は、大型で重量が大きな自然石５を用いる場合に、２個乃至３個程度を取り付けるようにしてもよい。また、取付ブラケット部材１３は、上述したＬ字状の形状に限定されず、例えば取付部１３ａを介して互いに対向する一対の保持部１３ｃ、１３ｃを有する断面略コ字状に形成した部材であってもよい。かかる取付ブラケット部材１３には、各保持部１３ｃに互いに軸線を一致させて取付金具嵌挿孔１３ｄが形成され、取付金具１４をより強固に保持することを可能とする。
【００２４】
取付金具１４は、自然石保持体６の隣り合う第１横筋７ａと第２横筋７ｂの間隔Ｌ（図２参照）よりも長軸の鉄筋が用いられ、一端側を略Ｕ字状に折曲することによってフック部１４ａを形成してなる。取付金具１４は、他端側が、後述するように取付ブラケット部材１３の保持部１３ｃに形成した取付金具嵌挿孔１３ｄに嵌挿される嵌挿部１４ｂを構成する。取付金具１４は、フック部１４ａが鉄筋７の外径よりも大きな曲げ径を以って予め湾曲されてなる。取付金具１４は、自然石保持体６の背面側から、フック部１４ａを上述した取付ブラケット部材１３の保持部１３ｃが突出する格子目６ａを構成する上側の第１横筋７ａに掛け合わせることによって自然石保持体６に組み付けられる。
【００２５】
取付金具１４は、嵌挿部１４ｂが取付ブラケット部材１３の保持部１３ｃに形成した取付金具嵌挿孔１３ｄに貫通される。取付金具１４は、後述するように嵌挿部１４ｂが折曲用治具１５によって下側の第２横筋７ｂの外周部に沿って自然石５側へと折曲されることにより、第１横筋７ａと第２横筋７ｂとに跨って掛け合わされる。取付金具１４は、第１横筋７ａと第２横筋７ｂとの間において嵌挿部１４ｂが取付ブラケット部材１３の保持部１３ｃと結合されることにより、この取付ブラケット部材１３を介して自然石５を自然石保持体６に対して固定する。
【００２６】
折曲用治具１５は、取付金具１４の外径よりもやや大径とされた内孔を有する長軸の金属製のパイプ材からなり、先端部近傍の側面に開口して第１嵌合部１５ａが形成されるとともに先端の開口部が第２嵌合部１５ｂを構成する。折曲用治具１５は、自然石保持体６の前方側から自然石５間に差し込まれて、図３に示すように第１横筋７ａにフック部１４ａを掛け合わせるとともに取付ブラケット部材１３の取付金具嵌挿孔１３ｄを貫通された取付金具１４の嵌挿部１４ｂの先端部を第１嵌合部１５ａに嵌合させる。なお、折曲用治具１５は、自然石保持体６の背面側から、第１嵌合部１５ａに嵌挿部１４ｂを嵌合させるようにしてもよい。
【００２７】
折曲用治具１５は、図３矢印で示すように基端側を上方へと押し上げることにより、取付金具１４の嵌挿部１４ｂを第２横筋７ｄの外周に沿って自然石５側へと湾曲させるようにする。折曲用治具１５は、取付金具１４の嵌挿部１４ｂを同図一点鎖線で示すようにある程度湾曲させた状態で第１嵌合部１５ａから引き抜くとともに、嵌挿部１４ｂの先端を第２嵌合部１５ｂと嵌合させるようにする。折曲用治具１５は、さらに基端側を上方へと押し上げることにより、てこの動作によって比較的軽微な力で取付金具１４の嵌挿部１４ｂを第２横筋７ｄに掛け合わすように大きく折曲させる。
【００２８】
以上のように構成される自然石擁壁ブロック体１について、図４乃至図７を参照して自然石保持体６に対する自然石５の取付方法を説明する。自然石取付工程は、図４に示すようにアンカ部材１２によって取付ブラケット部材１３を固定した自然石５を、この取付ブラケット部材１３の固定面を取付面として自然石保持体６に組み合わす自然石組み合わせ工程が行われる。自然石取付工程は、これによって格子状に組み合わされた隣り合う横筋７ａ、７ｂと縦筋８ａ、８ｂとによって構成された自然石５と対向する格子目６ａから、取付ブラケット部材１３の保持部１３ｃを背面側に突き出させるようにする。
【００２９】
自然石取付工程は、自然石保持体６の背面側で、取付金具１４が図４矢印で示すようにそのフック部１４ａを上側の第１横筋７ａに掛け合わすとともに嵌挿部１４ｂを取付ブラケット部材１３の取付金具嵌挿孔１３ｄに嵌挿させて組み合わす取付金具組み合わせ工程が行われる。自然石取付工程は、この取付金具の取付によって、自然石５が自然石保持体６に対して取付ブラケット部材１３に組み合わされた取付金具１４を介して仮保持された状態となる。
【００３０】
自然石取付工程は、図５に示すように自然石保持体６の前面側から折曲用治具１５を差し込み、同図矢印で示すようにその第１嵌合部１５ａ内に取付金具１４の嵌挿部１４ｂを嵌合させるようにする。自然石取付工程は、この状態で折曲用治具１５の基端部を図６矢印で示すように上方へと回動させる第１折曲げ工程が行われる。折曲用治具１５は、てこの動作によって比較的軽微な力で取付金具１４の嵌挿部１４ｂを第２横筋７ｂを支点として自然石５側へと折曲させることを可能とする。
【００３１】
自然石取付工程は、ある程度嵌挿部１４ｂを折曲することによって折曲用治具１５の基端部が自然石５や自然石保持体６に当たって回動操作ができなくなった状態で、第１嵌合部１５ａを嵌挿部１４ｂから引き抜く操作を行う。自然石取付工程は、図７に示すように取付金具１４に対して折曲用治具１５が嵌挿部１４ｂを第１嵌合部１５ａから第２嵌合部１５ｂに再嵌合する操作を行うことにより、折曲用治具１５の基端部と自然石５や自然石保持体６とに間隔をとるようにする。自然石取付工程は、この状態で同図矢印で示すように折曲用治具１５を上方へとさらに回動させる第２折曲げ工程が行われる。
【００３２】
自然石取付工程は、折曲用治具１５の基端部と第２横筋７ｂとの間隔が充分に保持されることで、折曲用治具１５のより効率的なてこ動作によって取付金具１４の嵌挿部１４ｂが第２横筋７ｂの外周部に掛け合わすように大きく湾曲される。自然石取付工程は、折曲用治具１５の再嵌合操作によってさらに軽微な力で取付金具１４の嵌挿部１４ｂを湾曲させることを可能とし、第２横筋７ｂの外周に沿って嵌挿部１４ｂを大きな角度で折曲させて脱落が防止されるようにする。
【００３３】
自然石取付工程においては、上述した折曲用治具１５による取付金具１４の折曲操作によって、第１横筋７ａに一端側のフック部１４ａを掛け合わせた取付金具１４の嵌挿部１４ｂを第２横筋７ｂａに掛け合わせるようにする。自然石取付工程においては、略Ｃ字状を呈する取付金具１４が第１横筋７ａと第２横筋７ｂａとの間で取付ブラケット部材１３と結合されることから、この取付金具１４と取付ブラケット部材１３とを介して自然石５を自然石保持体６に対して強固に固定する。
【００３４】
なお、自然石擁壁ブロック体１においては、上述した取付工程に限定されず、現場対応等により各工程の順序や方法を適宜変更して自然石保持体６に対する自然石５の取り付けが行われる。自然石擁壁ブロック体１においては、例えば多数個の自然石５を並べた状態でこれらを覆うようにして自然石保持体６が載置され、各自然石５に対向する格子目６ａ内でアンカ部材１２による取付ブラケット部材１３の固定作業が行われる。自然石擁壁ブロック体１においては、上述した取付金具１４の組付け作業を行って自然石保持体６に対して多数個の自然石５の取り付けを行い、クレーン等によって擁壁３に設置されるようにする。
【００３５】
以上の工程を経て製作された自然石擁壁ブロック体１は、バックホウ等の土木機械を用いて掘削を行うとともに必要に応じてコンクリートを打設したり鉄筋等による補強を行って基礎２を形成し、この基礎２上の斜面を所定の傾斜角度に整形して擁壁面３を形成した施工現場に設置される。自然石擁壁ブロック体１の設置工法においては、第１層自然石擁壁ブロック体１ａがクレーン等により吊り上げられ、アンカシート体９を基礎２上に位置させて設置される。自然石擁壁ブロック体１の設置工法においては、多数個の自然石５を取り付けた自然石保持体６がアンカシート体９に対して、筋交い部材１０により擁壁面３の傾斜角度に調整される。
【００３６】
自然石擁壁ブロック体１の設置工法においては、アンカシート体９を基礎２に打ち込んだアンカ材１１によって固定することで、第１層自然石擁壁ブロック体１ａが上段からの重みにより前面側へとずり出ないようにする。自然石擁壁ブロック体１の設置工法においては、第１層自然石擁壁ブロック体１ａが擁壁面３の前方部位に沿って自然石５を複数列に積み上げた石組み擁壁の最下段部を構築する。自然石擁壁ブロック体１の設置工法においては、自然石保持体６の背面空間部内に砕石や土壌等の裏込め材を充填して裏込め材層４を形成する裏込め材充填工程が施される。自然石擁壁ブロック体１の設置工法においては、充填した裏込め材に対して締固め施工を施してしっかり固められた第１層裏込め材層４ａを形成する。
【００３７】
自然石擁壁ブロック体１の設置工法においては、第１層自然石擁壁ブロック体１ａの第１裏込め材層４ａ上に、上述した第１層自然石擁壁ブロック体１ａの設置工程と同様にして第２層自然石擁壁ブロック体１ｂの設置工程が施される。自然石擁壁ブロック体１の設置工法においては、第２層自然石擁壁ブロック体１ｂの背面空間部内に第２層裏込め材層４ｂを形成する。自然石擁壁ブロック体１の設置工法においては、以下所定の高さまでｎ個の自然石擁壁ブロック体１の積み上げが行われて、多数個の自然石５を擁壁面３の傾斜角度に合わせて所定の高さに積み上げて石組みした自然石積上げ擁壁を施工する。
【００３８】
自然石擁壁ブロック体１は、自然石保持体６に多数個の自然石が強固に取り付けられており、急峻な傾斜角度の擁壁面３であっても基礎２や下層の裏込め層４上に順次積み上げて自然石積上げ擁壁を構築する。自然石擁壁ブロック体１は、精密かつ強固であり環境にも優しい多数個の自然石５を積み上げて石組みする自然石積上げ擁壁が、熟練者を要せずとも簡易な作業でかつ安全性を確保して構築することを可能とする。自然石擁壁ブロック体１は、各段毎にコンクリート打設工程を不要とすることから、コンクリートの硬化期間や養生期間が不要となり工期の大幅な短縮化や工事費の低減が図られるようにする。
【図面の簡単な説明】
【００３９】
【図１】実施の形態として示した自然石擁壁ブロック体を用いて構築した自然石積上げ擁壁の要部構成図である。
【図２】自然石擁壁ブロック体の要部斜視図である。
【図３】自然石擁壁ブロック体の要部縦断面図である。
【図４】自然石を自然石保持体に取り付ける工程図であり、取付ブラケット部材を固定した自然石を自然石保持体に組み合わせた状態で取付金具を組み合わせる工程を示す。
【図５】同工程図であり、取付金具に折曲用治具を嵌挿する工程を示す。
【図６】同工程図であり、折曲用治具による取付金具の第１折曲工程を示す。
【図７】同工程図であり、折曲用治具による取付金具の第２折曲工程を示す。
【符号の説明】
【００４０】
１  自然石擁壁ブロック体、２  基礎、３  擁壁面、４  裏込め層、５  自然石、６  自然石保持体、７  横筋、８  縦筋、１２  アンカー部材、１３  取付ブラケット部材、１３ａ  取付部、１３ｂ  アンカ嵌挿孔、１３ｃ  保持部、１３ｄ  取付金具嵌挿孔、１４  取付金具、１４ａ  フック部、１４ｂ  嵌挿部、１５  折曲用治具
【図１】
2006029025.tif 000003
【図２】
2006029025.tif 000004
【図３】
2006029025.tif 000005
【図４】
2006029025.tif 000006
【図５】
2006029025.tif 000007
【図６】
2006029025.tif 000008
【図７】
2006029025.tif 000009